(57)【要約】【課題】弾性変形する部分や機構的な部分を有することなく切替操作棒を保持できる保持部を備えるシャッターを提供する。【解決手段】上枠１０と下枠１１及び左右の縦枠１２，１２を枠組みしてなる枠体１を有し、上枠１０は扉体３を支持すると共に巻き上げて収納自在なシャッターボックス２を有し、シャッターボックス２内に設けられる扉体３の開閉機構と連係する切替操作棒６０が枠体１の外部に設けられ、縦枠１２は、切替操作棒６０の一側部を保持可能な上側保持部６２と、切替操作棒６０の他側部を保持可能な下側保持部６３とを有する。【選択図】図６
2015068025.tif 000002
【特許請求の範囲】
【請求項１】
上枠と下枠及び左右の縦枠を枠組みしてなる枠体を有し、前記上枠は扉体を支持すると共に巻き上げて収納自在なシャッターボックスを有するシャッターにおいて、
前記シャッターボックス内に設けられる前記扉体の開閉機構と連係する切替操作棒が前記枠体の外部に設けられ、前記切替操作棒は、少なくとも一側部を保持可能な上側保持部と、他側部を保持可能な下側保持部とによって保持されることを特徴とするシャッター。
【請求項２】
前記上側保持部及び下側保持部は、それぞれ前記ホルダ部品に形成され、該ホルダ部品は、前記縦枠に対して固定される固定面部と、該固定面部から突出する前記上側保持部または下側保持部とを有してなることを特徴とする請求項１記載のシャッター。
【請求項３】
前記上側保持部及び下側保持部は、前記固定面部から突出する突出面部と、該突出面部の先端部から保持される前記切替操作棒の中央側に向かって突出する保持面部とを有することを特徴とする請求項２記載のシャッター。
【請求項４】
前記ホルダ部品は、前記上側保持部または下側保持部と水平方向に所定間隔離れた位置で前記固定面部から突出する補助保持部を有することを特徴とする請求項２または３記載のシャッター。
【請求項５】
前記ホルダ部品は前記縦枠に取付けられ、前記上側保持部は前記切替操作棒のうち前記縦枠の見付方向内側の側部を保持し、前記下側保持部は前記切替操作棒のうち前記縦枠の見付方向外側の側部を保持することを特徴とする請求項２〜４のいずれか１項に記載のシャッター。
【発明の詳細な説明】
【技術分野】
【０００１】
本発明は、建物開口部に設けられる枠体の上枠に巻回自在な扉体を納めるシャッターボックスを設けたシャッターに関し、特に扉体の開閉を電動と手動で切替えて行うことができるシャッターに関する。
【背景技術】
【０００２】
枠体の上枠に巻回自在な扉体を納めるシャッターボックスを設けたシャッターが建物開口部に設けられることがある。シャッターの扉体は、複数のスラットを上下方向に連結して構成される。また、シャッターボックスは建物躯体の室外側面に対して固定されて、扉体を巻回することのできる巻き取り軸を内部に備えている。このようなシャッターとして例えば特許文献１に挙げるようなものがある。
【先行技術文献】
【特許文献】
【０００３】
【特許文献１】特開２０１０−１６３７４０号公報
【発明の概要】
【発明が解決しようとする課題】
【０００４】
シャッターの中には、扉体の開閉を電動で行うことができるものがある。電動で開閉するシャッターは、巻き取り軸内にモーターが設けられており、巻き取り軸を構成する回転軸部をモーターにより駆動し、扉体を開閉させることができる。しかし、停電時などモーターを使用することができない場合には、手動で扉体を開閉することになる。この場合には、回転軸部とモーターの駆動軸との間をクラッチ機構により切り離す必要がある。
【０００５】
電動と手動の切替を行うために、電動のシャッターには枠体の室内側に露出する切替操作棒が設けられる。切替操作棒は、巻き取り軸内のクラッチ機構と連係するワイヤに引っ掛けられており、これを引っ張ることによりワイヤを介してクラッチ機構を駆動し、電動と手動を切替えることができる。
【０００６】
切替操作棒は、上端部が枠体の上部に配置され、下端部は操作がしやすい位置に配置される必要があるため、ある程度の長さを有している。このため、枠体を構成する縦枠には、切替操作棒を保持しておくホルダ部品が設けられる。ホルダ部品は、樹脂材からなり、例えば略Ｌ字状に形成した部分に切替操作棒を弾性係止させることで、これを保持することができるように形成されていた。
【０００７】
シャッターにおいては、高い防火性能を求められる場合がある。シャッターが火災時に高温に晒された際には、シャッターに用いられている樹脂部材等が溶融して発火する可能性があるから、枠体の外部に露出する樹脂部品をできるだけなくすことが必要となる。このため、切替操作棒を保持する保持部も、金属材により形成することが求められる。しかし、保持部を金属材で形成すると、樹脂材からなる場合と異なり、大きく弾性変形させることは困難であるため、切替操作棒を保持するための機構を設ける必要があり、保持部の構造が複雑化してコスト高になるという問題があった。
【０００８】
本発明は前記課題を鑑みてなされたものであり、弾性変形する部分や機構的な部分を有することなく切替操作棒を保持できる保持部を備えるシャッターを提供することを目的とする。
【課題を解決するための手段】
【０００９】
前記課題を解決するため、請求項１の発明に係るシャッターは、上枠と下枠及び左右の縦枠を枠組みしてなる枠体を有し、前記上枠は扉体を支持すると共に巻き上げて収納自在なシャッターボックスを有するシャッターにおいて、
前記シャッターボックス内に設けられる前記扉体の開閉機構と連係する切替操作棒が前記枠体の外部に設けられ、前記切替操作棒は、少なくとも一側部を保持可能な上側保持部と、他側部を保持可能な下側保持部とによって保持されることを特徴として構成されている。
【００１０】
請求項１に係る発明によれば、上下の保持部によって切替操作棒を枠体に保持することができる。
【００１１】
また、請求項２の発明に係るシャッターは、前記上側保持部及び下側保持部は、それぞれ前記ホルダ部品に形成され、該ホルダ部品は、前記縦枠に対して固定される固定面部と、該固定面部から突出する前記上側保持部または下側保持部とを有してなることを特徴として構成されている。
【００１２】
請求項２に係る発明によれば、ホルダ部品によって容易に切替操作棒の保持構造を設けることができる。
【００１３】
さらに、請求項３の発明に係るシャッターは、前記上側保持部及び下側保持部は、前記固定面部から突出する突出面部と、該突出面部の先端部から保持される前記切替操作棒の中央側に向かって突出する保持面部とを有することを特徴として構成されている。
【００１４】
請求項３に係る発明によれば、単純な形状で切替操作棒の保持をなすことができ、切替操作棒の保持構造を容易に形成することができる。
【００１５】
さらにまた、請求項４の発明に係るシャッターは、前記ホルダ部品は、前記上側保持部または下側保持部と水平方向に所定間隔離れた位置で前記固定面部から突出する補助保持部を有することを特徴として構成されている。
【００１６】
請求項４に係る発明によれば、切替操作棒をより確実に保持するとともに、切替操作棒に衝撃が加わった場合でも、保持状態を維持することができる。
【００１７】
そして、請求項５の発明に係るシャッターは、前記ホルダ部品は前記縦枠に取付けられ、前記上側保持部は前記切替操作棒のうち前記縦枠の見付方向内側の側部を保持し、前記下側保持部は前記切替操作棒のうち前記縦枠の見付方向外側の側部を保持することを特徴として構成されている。
【００１８】
請求項５に係る発明によれば、開閉機構との連係により切替操作棒の上部が縦枠の見付方向内側に引っ張られても、切替操作棒が縦枠に安定的に保持されるようにすることができる。
【発明の効果】
【００１９】
本発明に係るシャッターによれば、保持部が、弾性変形する部分や機構的な部分を有することなく切替操作棒を保持できるので、保持部を単純な形状の金属材で形成することができ、簡単に防火性を向上させることができる。
【図面の簡単な説明】
【００２０】
【図１】本実施形態におけるシャッターの縦断面図である。
【図２】本実施形態におけるシャッターの横断面図である。
【図３】巻取り軸の斜視図である。
【図４】図２のうち一方の縦枠１２付近拡大図である。
【図５】ホルダ部品の正面図及びホルダ部品の平面図である。
【図６】切替操作棒が保持される付近の縦枠を室内側から見た正面図である。
【発明を実施するための形態】
【００２１】
本発明の実施形態について図面に沿って詳細に説明する。図１には本実施形態におけるシャッターの縦断面図を、図２には本実施形態におけるシャッターの横断面図を、それぞれ示している。これら各図に示すように、本実施形態のシャッターは、上枠１０と下枠１１及び左右の縦枠１２，１２を方形状に枠組みしてなる枠体１内に内障子４と外障子５を引き違い状に納め、上枠１０にはシャッターボックス２を設けて扉体３を収納可能とすると共に、シャッターボックス２から扉体３を引き出し自在として構成されている。
【００２２】
内障子４と外障子５は、それぞれ上框３０と下框３１及び左右の縦框３２，３２を方形状に框組みしてなる框体６内に、ガラス板からなるパネル体７を納めて構成されている。枠体１を構成する下枠１１には、内障子４を長手方向に案内する内レール部１１ａと、外障子５を長手方向に案内する外レール部１１ｂとが形成されている。また、枠体１を構成する上枠１０には、内障子４の上辺を長手方向に案内する上内レール部１０ａと、外障子５の上辺を長手方向に案内する上外レール部１０ｂとが形成されている。
【００２３】
シャッターボックス２は、上面部４０と下面部４１及び左右の側面部４２，４２を有しており、側面部４２を構成する側面部材１８には巻取り軸２０が取付けられている。巻取り軸２０は、多数のスラット２２を上下方向に連結してなる扉体３を巻回可能としており、シャッターボックス２内に扉体３を収納可能となるように構成されている。扉体３は、シャッターボックス２の下部に形成された開口部２１から下方に引き出し自在となっている。なお、図１は扉体３を引き出して全閉とした状態を表している。
【００２４】
シャッターボックス２を有する上枠１０は、上面部４０を構成する上側部材１５と、下面部４１を構成する下側部材１６とを有し、シャッターボックス２はさらに、側面部４２を構成する側面部材１８と、上側部材１５からシャッターボックス２の室外側面を構成するカバー部材１７を有している。また、シャッターボックス２の扉体３を収納する空間部の建物躯体側を覆うように、背面カバー部材１９が設けられる。背面カバー部材１９は、躯体室外面５０と離隔して対向するように配置される。
【００２５】
縦枠１２の室外側には、扉体３の左右端部を上下方向に案内するガイドレール部材１３が設けられている。ガイドレール部材１３は、扉体３の左右端部を飲み込む凹状の案内部１３ａを備えている。
【００２６】
扉体３の下端部には、ガイドレール部材１３間の略全長に渡る幅を有した幅木部材２３が設けられる。幅木部材２３は、面状に形成された室外側壁２３ａの室外側に、逆Ｌ字状に突出する一体的な把手部２３ｂを有している。図２に示されているように、扉体３の下端部左右端部付近には、樹脂製の当たり部材２４，２４が設けられている。このため、幅木部材２３は扉体３の端部よりも中央寄りにその両端部が配置されることとなる。
【００２７】
下枠１１の室外側部には、幅木部材２３の下端部を納めることができる溝状の凹部１１ｃが形成されている。幅木部材２３を枠体１の下端部に配置することで、幅木部材２３の下端部が凹部１１ｃに納められると共に、凹部１１ｃを構成する下枠１１の室外側面を、幅木部材２３の把手部２３ｂが跨いだ状態となる。
【００２８】
図３には、巻取り軸２０の斜視図を示している。巻取り軸２０は、側面部材１８に固定されて回転しない固定軸部５０と、固定軸部５０に回転自在に保持された回転軸部５１とからなっており、回転軸部５１に扉体３の端部が固定される。したがって、回転軸部５１の回転に伴って扉体３を巻き取る、あるいは引き出すことができる。
【００２９】
固定軸部５０は、一端側の側面部材１８に固定される第一部材５２と、他端側の側面部材１８に固定される第二部材５３とからなっている。第一部材５２と第二部材５３は、回転軸部５１の一方側と他方側をそれぞれ回転自在に支持する。第二部材５３は、扉体３を自重に対抗する方向に付勢する付勢部材５３ａを有している。
【００３０】
第一部材５２は、回転軸部５１を電動で回転駆動するモーター（図示しない）を内部に有しており、巻取り軸２０の中央側端部に設けられた駆動支持部５２ａを介して回転軸部５１を回転駆動することができる。また、第一部材５２内には、モーターから駆動支持部５２ａへの動力伝達を切替えることのできるクラッチ機構（図示しない）が設けられている。これらの第一部材５２及び回転軸部５１によって、扉体３の開閉機構が構成されている。
【００３１】
第一部材５２からは、内部のモーターに電源を供給するための電源ケーブル５４と、第一部材５２内のクラッチ機構と連係してこれを動作させる連係ケーブル５５とが引き出されている。電源ケーブル５４は、外部電源に接続される。また、連係ケーブル５５は、これを引っ張ることによって連係するクラッチ機構を駆動し、モーターと駆動支持部５２ａの間の伝達状態を切り替えることができる。連係ケーブル５５の先端部には、後述する切替操作棒６０を引っ掛けるためのリング部５５ａが形成されている。
【００３２】
図４には、図２のうち一方の縦枠１２付近拡大図を示している。この図では、連係ケーブル５５についても示している。巻き取り軸２０の第一部材５２から引き出される連係ケーブル５５は、シャッターボックス２から縦枠１２及びガイドレール部材１３によって形成される中空部分に導かれ、該中空部分の内周面から枠体１の外部に引き出されている。この際、連係ケーブル５５の先端部に形成されたリング部５５ａは、枠体１の外部に露出する。
【００３３】
縦枠１２の室内側に面する見付面１２ａには、切替操作棒６０が配置される。切替操作棒６０の上端部には、連係ケーブル５５のリング部５５ａに対し引っ掛けることのできる引っ掛け部６０ａが形成されており、引っ掛け部６０ａによって切替操作棒６０が連係ケーブル５５と連係することができる。この切替操作棒６０を縦枠１２に保持しておくため、縦枠１２にはホルダ部品６１が固定されている。モーターと駆動支持部５２ａの間の伝達状態を切替える際には、切替操作棒６０をホルダ部品６１から外し、引っ張ることによって、連係ケーブル５５を介して巻取り軸２０内のクラッチ機構を駆動することができる。
【００３４】
ホルダ部品６１につき、詳細に説明する。図５には、ホルダ部品６１の正面図（図５（ａ））及びホルダ部品６１の平面図（図５（ｂ））を示している。ホルダ部品６１は、金属材からなり、縦枠１２の見付面に対して固定される固定面部６１ａと、固定面部６１ａの一側部から突出する保持部６１ｂと、固定面部６１ａの他側部から突出する補助保持部６１ｅとを有して、平面視略コ字状をなすように形成されている。保持部６１ｂは、固定面部６１ａから突出する突出面部６１ｃと、突出面部６１ｃの先端部からホルダ部品６１の中央側、すなわち保持する切替操作棒６０の中央側に突出する保持面部６１ｄとで、略Ｌ字状をなすように形成されている。これによって、保持部６１ｂは、切替操作棒６０の側面から前面に掛かるようにすることができ、これによって切替操作棒６０を保持することができる。
【００３５】
図６には、切替操作棒６０が保持される付近の縦枠１２を室内側から見た正面図を示している。切替操作棒６０は、下端部に手で持って引っ張り操作を行うための把手部６０ｂを備え、上端部には連係ケーブル５５のリング部５５ａに引っ掛けるための引っ掛け部６０ａが設けられている。
【００３６】
ホルダ部品６１は、縦枠１２の上下２箇所に設けられる。ここでは、上側のホルダ部品６１の保持部６１ｂを上側保持部６２とし、下側のホルダ部品６１の保持部６１ｂを下側保持部６３とする。上側保持部６２と下側保持部６３は、どちらも同形状のホルダ部品６１に形成されているが、各ホルダ部品６１を左右反対向きとすることで、これらは互いに左右反対側となるように配置されている。ここで、上側保持部６２は、縦枠１２の見付方向内側に配置され、下側保持部６３は、縦枠１２の見付方向外側に配置される。
【００３７】
連係ケーブル５５は、縦枠１２とガイドレール部材１３との接合面からなる見込面１２ｂから突出するように引き出されているので、切替操作棒６０が保持される位置よりも縦枠１２の見付方向内側位置で、引っ掛け部６０ａとリング部５５ａが連係する。このため、切替操作棒６０は上部が縦枠１２の見付方向内側に引っ張られるように傾倒することとなる。これに対し、上側保持部６２は切替操作棒６０のうち縦枠１２の見付方向内側の側部を保持し、下側保持部６３は切替操作棒６０のうち縦枠１２の見付方向外側の側部を保持するので、切替操作棒６０が引っ張られる方向に対抗してこれを保持することができる。
【００３８】
上下のホルダ部品６１における各補助保持部６１ｅは、上側保持部６２及び下側保持部６３によって保持される切替操作棒６０の側部と反対側の側部を保持可能となるように、上側保持部６２や下側保持部６３から左右方向に離隔して配置されている。補助保持部６１ｅは、切替操作棒６０に衝撃が加わった場合等にも、ホルダ部品６１から切替操作棒６０が外れないように保持する。
【００３９】
このように、上側保持部６２が保持する切替操作棒６０の側部と下側保持部６３が保持する切替操作棒６０の側部を、互いに反対側となるように配置したことにより、保持部６１ｂが弾性変形しなくても、切替操作棒６０を縦枠１２に保持しておくことが可能となる。このため、ホルダ部品６１を金属材などの不燃材料によって形成し、防火性の向上を図ることができると共に、切替操作棒６０を保持するための機構的な部位を設ける必要がなく、簡単かつ低コストにホルダ部品６１を形成することができる。
【００４０】
また、上側保持部６２と下側保持部６３は、同形状のホルダ部品６１を左右反転させて取付けるだけで構成することができるので、部品の種類を増加させることなく、切替操作棒６０を保持することができ、さらには非防火仕様とする場合ではホルダ部品６１だけを変えればよいので、仕様の違いに関わらず部品の共用化を図ることができる。
【００４１】
以上、本発明の実施形態について説明したが、本発明の適用は本実施形態には限られず、その技術的思想の範囲内において様々に適用されうるものである。本実施形態では、上側保持部６２が切替操作棒６０のうち縦枠１２の見付方向内側の側部を、下側保持部６３が切替操作棒６０のうち縦枠１２の見付方向外側の側部を、それぞれ保持するが、連係ケーブル５５と切替操作棒６０の配置関係によっては、それぞれ反対側を保持するように構成してもよい。また、上下のホルダ部品で形状が異なっていてもよく、さらにはホルダ部品を縦枠１２の３箇所以上に設けるようにしてもよい。
【符号の説明】
【００４２】
１    枠体
２    シャッターボックス
３    扉体
４    内障子
５    外障子
６    框体
７    パネル体
１０    上枠
１１    下枠
１２    縦枠
１３    ガイドレール部材
２０    巻き取り軸
２１    開口部
２２    スラット
２３    幅木部材
５０    固定軸部
５１    回転軸部
５２    第一部材
５３    第二部材
５４    電源ケーブル
５５    連係ケーブル
５５ａ  リング部
６０    切替操作棒
６０ａ  引っ掛け部
６０ｂ  把手部
６１    ホルダ部品
６１ａ  固定面部
６１ｂ  保持部
６１ｃ  突出面部
６１ｄ  保持面部
６１ｅ  補助保持部
６２    上側保持部
６３    下側保持部
【図１】
2015068025.tif 000003
【図２】
2015068025.tif 000004
【図３】
2015068025.tif 000005
【図４】
2015068025.tif 000006
【図５】
2015068025.tif 000007
【図６】
2015068025.tif 000008